(57)【要約】【課題】組版データから複数種類のデータ形式の電子書籍データを容易に効率よく作成することができ、また電子書籍データに詳しくなくても作業可能とする。【解決手段】組版データから電子書籍データを作成する電子書籍データ作成方法において、組版データをワープロソフトで読み書き可能なワープロデータに自動的に変換する第１の変換手段を用いて、組版データをワープロデータに変換し、電子書籍用の付加情報を設定する第２の変換手段を用いて、ワープロデータを変換し、変換されたワープロデータを、作業者が整形し、ワープロデータを電子書籍データに自動的に変換する第３の変換手段を用いて、整形後のワープロデータを電子書籍データに変換する。【選択図】図１
2014164670.tif 000002
【特許請求の範囲】
【請求項１】
組版データから電子書籍データを作成する電子書籍データ作成方法において、
組版データをワープロソフトで読み書き可能なワープロデータに自動的に変換する第１の変換手段を用いて、組版データをワープロデータに変換し、
電子書籍用の付加情報を設定する第２の変換手段を用いて、ワープロデータを変換し、
変換されたワープロデータを、作業者が整形し、
ワープロデータを電子書籍データに自動的に変換する第３の変換手段を用いて、整形後のワープロデータを電子書籍データに変換することを特徴とする電子書籍データ作成方法。
【請求項２】
第２の変換手段は、
整形する前のワープロデータに対して、外字を検出する外字検出手段を用いて、変換されたワープロデータ内の外字を検出し、
作業者は、検出された外字を置き換え文字で置換するか、又は画像外字を作成して置換することを特徴とする請求項１記載の電子書籍データ作成方法。
【請求項３】
第２の変換手段を用いて、別ファイルとして用意されたイメージデータをワープロデータに対して自動的に取り込み、
取り込まれたイメージデータの情報を第３の変換手段を用いて、電子書籍データに変換することを特徴とする請求項１又は請求項２記載の電子書籍データ作成方法。
【請求項４】
第３の変換手段は、
作業者が整形・追加したワープロデータの文字・レイアウト情報・ハイパーリンク情報を電子書籍データに変換することを特徴とする請求項１〜請求項３のうちのいずれか１項記載の電子書籍データ作成方法。
【請求項５】
第１の変換手段は、複数種類の組版データを１種類のワープロデータに変換可能であることを特徴とする請求項１〜請求項４のうちのいずれか１項記載の電子書籍データ作成方法。
【請求項６】
第１の変換手段は、
少なくとも組版データの文字及びレイアウト情報を、ワープロデータに変換し、
且つワープロデータ上で表現できない画像及び外字は文字列に置き換えることを特徴とする請求項１〜請求項５のうちのいずれか１項記載の電子書籍データ作成方法。
【請求項７】
組版データから、電子書籍データに変換可能なマークアップ言語データを作成するマークアップ言語データ作成方法において、
組版データをワープロソフトで読み書き可能なワープロデータに自動的に変換する第１の変換手段を用いて、組版データをワープロデータに変換し、
電子書籍用の付加情報を設定する第２の変換手段を用いて、ワープロデータを変換し、
変換されたワープロデータを、作業者が整形し、
ワープロデータをマークアップ言語データに自動的に変換する第４の変換手段を用いて、整形後のワープロデータをマークアップ言語データに変換することを特徴とするマークアップ言語データ作成方法。
【請求項８】
第２の変換手段は、
整形する前のワープロデータに対して、外字を検出する外字検出手段を用いて、変換されたワープロデータ内の外字を検出し、
作業者は、検出された外字を置き換え文字で置換するか、又は画像外字を作成して置換することを特徴とする請求項７記載のマークアップ言語データ作成方法。
【請求項９】
第２の変換手段を用いて、別ファイルとして用意されたイメージデータをワープロデータに対して自動的に取り込み、
取り込まれたイメージデータの情報を第４の変換手段を用いて、マークアップ言語データに変換することを特徴とする請求項７又は請求項８記載のマークアップ言語データ作成方法。
【請求項１０】
第４の変換手段は、
作業者が整形・追加したワープロデータの文字・レイアウト情報・ハイパーリンク情報をマークアップ言語データに変換することを特徴とする請求項７〜請求項９のうちのいずれか１項記載のマークアップ言語データ作成方法。
【請求項１１】
第１の変換手段は、複数種類の組版データを１種類のワープロデータに変換可能であることを特徴とする請求項７〜請求項１０のうちのいずれか１項記載のマークアップ言語データ作成方法。
【請求項１２】
第１の変換手段は、
少なくとも組版データの文字及びレイアウト情報を、ワープロデータに変換し、
且つワープロデータ上で表現できない画像及び外字は文字列に置き換えることを特徴とする請求項７〜請求項１１のうちのいずれか１項記載のマークアップ言語データ作成方法。
【発明の詳細な説明】
【技術分野】
【０００１】
本発明は、電子書籍で用いられる電子書籍データを作成する方法、及び電子書籍やその他マルチメディア等に利用できるマークアップ言語データを作成する方法に関する。
【背景技術】
【０００２】
電子書籍は、従来のように印刷物としての書籍ではなく、専用の表示装置（以下、電子書籍リーダーと称する場合がある）や汎用パソコンなどで書籍内容が表示される。
電子書籍は、電子書籍リーダーや汎用パソコンに対応したデータ形式の電子書籍データとしてダウンロード可能となっていたり、またメディアに記録されたりして一般ユーザに提供される。
【０００３】
電子書籍データの作成方法としては、例えば特許文献１及び特許文献２に提案されている。これらの方法によれば、所定のコンテンツを電子書籍にする際に、テキストデータとともに画像データへのリンク情報を記述することにより、ユーザの利便性を高めようとしている。
【先行技術文献】
【特許文献】
【０００４】
【特許文献１】特開２０１２−６９００５号公報
【特許文献２】ＷＯ２００５／１０１２３２
【発明の概要】
【発明が解決しようとする課題】
【０００５】
ところで、電子書籍を読み取るのを汎用パソコンで行う場合には、電子書籍データのデータ形式は一般的な画像データでも良いかもしれないが、専用の電子書籍リーダーを用いる場合には、電子書籍リーダーの種類に適合したデータ形式が必要とされる。
電子書籍リーダーの種類ごとの電子書籍データのデータ形式としては、ＸＭＤＦ、ドットブック、ＥＰＵＢなど、様々な種類のデータ形式が存在する。
【０００６】
上述した従来の特許文献１及び特許文献２に示されている電子書籍データの作成方法では、電子書籍データのデータ形式については特に記載がない。
電子書籍リーダーを製造販売するメーカーでは自社の電子書籍リーダーに適合するデータ形式であればよいので、どのようなデータ形式の電子書籍データを作成すべきかについては検討の必要性がないためであると考えられる。また、汎用パソコンで読み取る場合には、一般に普及しているデータ形式で作成すればよいためと考えられる。
【０００７】
しかし、出版会社や印刷会社において電子書籍データを提供する場合には、特定のデータ形式の電子書籍データだけではなく、様々な電子書籍リーダーで読み取れるように、複数種類のデータ形式の電子書籍データを作成しなくてはならない。
【０００８】
また、上述した特許文献１及び特許文献２においては、電子書籍データの元となるデータについては、テキストデータと画像データであるとの記載しかない。しかし、テキストデータだけでは、インデント、文字サイズ、ルビなどのレイアウト情報が不足しているので、書籍として体裁の整った電子書籍データを作成することができない。
【０００９】
なお、印刷会社には、書籍の元となるデータとして組版データが存在している。組版データといっても組版ソフトの種類によってさまざまなデータ形式が存在する。従来は、これらの組版データをそれぞれのデータ形式の電子書籍データに変換し、変換された電子書籍データを作業者が編集して書籍としての体裁を整える方法を採用していた。
【００１０】
しかし、同一内容の書籍であっても、元々の組版データのデータ形式が異なっており、しかもこれらを様々なデータ形式の電子書籍データに変換し、変換後の電子書籍データごとに作業者が手作業で編集作業を行わなくてはならないため、電子書籍データの作成効率が非常に悪いという課題があった。
また、作業者は、電子書籍データのデータ構造やタグ仕様を熟知していないと作業ができないため、データ形式ごとに専門の作業者が必要となってしまうという課題もあった。
【００１１】
また、電子書籍では、文書内の該当箇所へのリンク、画像データへのリンク、又は文書中の字句の編集（“100頁を参照”のような部分を“こちらを参照”という字句に置き換える。）等、電子書籍特有の編集が必要になる。これらの情報を電子書籍データに付加又は編集する際も、電子書籍データのデータ構造やタグ仕様を熟知した作業者が、手作業で行う必要があり、作成効率が非常に悪いという課題があった。
【００１２】
なお、組版データをデータ変換プログラムを用いて電子書籍データに変換する場合は、データ変換プログラムのインプットである組版データと、アウトプットである電子書籍データの組み合わせ毎にプログラムの開発が必要となるという課題がある。
これに対し、上述した特許文献１及び特許文献２でもみられるように、XML形式などを用いた汎用的な中間データ形式を策定し、各組版データから汎用的な中間データ形式に変換し、汎用的な中間データ形式から各電子書籍データ形式に変換とすることで、課題を解決しようという試みがなされている。
しかしながら、前述したようなリンク情報の付加や編集においては、データ固有の構造やタグ仕様を熟知する必要があることに変わりはなく、作業効率の課題の解決には至らない。
電子書籍データの編集は、容易に行うことができ、かつ必要に応じて、各種データ形式に変換できることが可能であることが理想である。
【００１３】
そこで本発明は上記課題を解決すべくなされ、その目的とするところは、組版データから複数種類のデータ形式の電子書籍データを容易に効率よく作成することができ、また電子書籍データに詳しくなくても作業可能な電子書籍データ作成方法、及びマークアップ言語データを容易に効率よく作成することができ、また電子書籍データに詳しくなくても作業可能なマークアップ言語データ作成方法を提供することにある。
【課題を解決するための手段】
【００１４】
本発明にかかる電子書籍データ作成方法によれば、組版データから電子書籍データを作成する電子書籍データ作成方法において、組版データをワープロソフトで読み書き可能なワープロデータに自動的に変換する第１の変換手段を用いて、組版データをワープロデータに変換し、電子書籍用の付加情報を設定する第２の変換手段を用いて、ワープロデータを変換し、変換されたワープロデータを、作業者が整形し、ワープロデータを電子書籍データに自動的に変換する第３の変換手段を用いて、整形後のワープロデータを電子書籍データに変換することを特徴としている。
この方法によれば、まず組版データをワープロデータに変換することで、作業者は異なるデータ形式の電子書籍データを整形するのではなく、ワープロソフトで整形を行え、整形後のワープロデータを、電子書籍データに変換すればよいので、効率よく整形作業が行える。また、整形をワープロデータで行うので、電子書籍データに詳しくなくても作業が行える。
【００１５】
また、第２の変換手段は、整形する前のワープロデータに対して、外字を検出する外字検出手段を用いて、変換されたワープロデータ内の外字を検出し、作業者は、検出された外字を置き換え文字で置換するか、又は画像外字を作成して置換することを特徴としてもよい。
この方法によれば、書籍中に外字が存在していても、確実に電子書籍データの作成が行える。
【００１６】
また、第２の変換手段を用いて、別ファイルとして用意されたイメージデータをワープロデータに対して自動的に取り込み、取り込まれたイメージデータの情報を第３の変換手段を用いて、電子書籍データに変換することを特徴としてもよい。
【００１７】
また、第３の変換手段は、作業者が整形・追加したワープロデータの文字・レイアウト情報・ハイパーリンク情報を電子書籍データに変換することを特徴としてもよい。
【００１８】
また、第１の変換手段は、複数種類の組版データを１種類のワープロデータに変換可能であることを特徴としてもよい。
この方法によれば、複数種類の組版データが存在していても、すべて同じワープロソフトで整形することができ、作業効率を上げることができる。
【００１９】
さらに、第１の変換手段は、少なくとも組版データの文字及びレイアウト情報を、ワープロデータに変換し、且つワープロデータ上で表現できない画像及び外字は文字列に置き換えることを特徴としてもよい。
【００２０】
本発明にかかるマークアップ言語データ作成方法によれば、組版データから、電子書籍データに変換可能なマークアップ言語データを作成するマークアップ言語データ作成方法において、組版データをワープロソフトで読み書き可能なワープロデータに自動的に変換する第１の変換手段を用いて、組版データをワープロデータに変換し、電子書籍用の付加情報を設定する第２の変換手段を用いて、ワープロデータを変換し、変換されたワープロデータを、作業者が整形し、ワープロデータをマークアップ言語データに自動的に変換する第４の変換手段を用いて、整形後のワープロデータをマークアップ言語データに変換することを特徴としている。
この方法によれば、まず組版データをワープロデータに変換することで、作業者はワープロソフトで整形を行え、整形後のワープロデータを、マークアップ言語データに変換すればよいので、効率よく整形作業が行える。また、整形をワープロデータで行うので、最終的なデータである電子書籍データやその他のマルチメディアデータに詳しくなくても作業が行える。
【００２１】
また、第２の変換手段は、整形する前のワープロデータに対して、外字を検出する外字検出手段を用いて、変換されたワープロデータ内の外字を検出し、作業者は、検出された外字を置き換え文字で置換するか、又は画像外字を作成して置換することを特徴としてもよい。
【００２２】
また、第２の変換手段を用いて、別ファイルとして用意されたイメージデータをワープロデータに対して自動的に取り込み、取り込まれたイメージデータの情報を第４の変換手段を用いて、マークアップ言語データに変換することを特徴としてもよい。
【００２３】
さらに、第４の変換手段は、作業者が整形・追加したワープロデータの文字・レイアウト情報・ハイパーリンク情報をマークアップ言語データに変換することを特徴としてもよい。
【００２４】
さらに、第１の変換手段は、複数種類の組版データを１種類のワープロデータに変換可能であることを特徴としてもよい。
【００２５】
さらに、第１の変換手段は、少なくとも組版データの文字及びレイアウト情報を、ワープロデータに変換し、且つワープロデータ上で表現できない画像及び外字は文字列に置き換えることを特徴としてもよい。
【発明の効果】
【００２６】
本発明にかかる電子書籍データ作成方法によれば、組版データから複数種類のデータ形式の電子書籍データを容易に効率よく作成することができ、また電子書籍データに詳しくなくても作業が行える。
また、本発明にかかるマークアップ言語データ作成方法によれば、マークアップ言語データを容易に効率よく作成することができ、また最終的な電子書籍データやその他のマルチメディアデータに詳しくなくても作業が行える。
【図面の簡単な説明】
【００２７】
【図１】電子書籍作成方法及びマークアップ言語データ作成方法の全体の流れを示す説明図である。
【図２】電子書籍作成方法及びマークアップ言語データ作成方法に用いるコンピュータの内部構成を示すブロック図である。
【図３】第1の変換手段の変換について示す説明図である。
【図４】第１の変換手段の変換内容を示す説明図である。
【図５】段落情報の変換について示す説明図である。
【図６】インライン情報の変換について示す説明図である。
【図７】外字の検出について示す説明図である。
【図８】外字の検出と外字一覧について示す説明図である。
【図９】外字の置換について示す説明図である。
【図１０】外字置換用ファイルと置換結果について示す説明図である。
【図１１】画像の取り込みについて示す説明図である。
【図１２】第３の変換手段の変換内容を示す説明図である。
【図１３】第４の変換手段の変換内容を示す説明図である。
【発明を実施するための形態】
【００２８】
以下、本発明の好適な実施の形態を添付図面を用いて説明する。図１には、電子書籍データ作成方法及びマークアップ言語データ作成方法全体の流れを図示している。
電子書籍データ及びマークアップ言語データの作成は、作業者が各変換プログラムを用いてコンピュータ上でデータを自動的に変換し、変換プログラムで対応できない箇所や調整が必要となる箇所は作業者が手作業で整形することによって行われる。
【００２９】
本実施形態で使用されるコンピュータの構成を図２に示す。
コンピュータ３０は、汎用的なパーソナルコンピュータなどを採用することができる。
コンピュータ３０は、ＣＰＵ及びメモリを含み、ソフトウェアプログラムを実行することによって各制御を行うことが可能な制御部３２と、キーボードおよびマウス等のポインティングデバイスから構成され、操作者が制御部３２に対して、情報を入力する入力手段３４と、液晶ディスプレイやＣＲＴ等の制御部３２からの信号に応じて情報を表示可能なモニタ３６と、ソフトウェアプログラムや各種データを記憶する記憶装置３８とを備えている。
記憶手段３８の記憶媒体は、主にハードディスク等が挙げられる。
【００３０】
また、コンピュータ３０は、ＬＡＮ（Ｌｏｃａｌ  Ａｒｅａ  Ｎｅｔｗｏｒｋ）等のネットワークを介して他のコンピュータや電子機器等と通信可能に接続されていてもよい。
【００３１】
コンピュータ３０の記憶装置３８には、作業者が読み出して実行可能なプログラムである第１の変換手段Ｐ１、第２の変換手段Ｐ２、第３の変換手段Ｐ３、及び第４の変換手段Ｐ４が記憶されている。作業者は、各工程において必要な変換手段を読み出して実行させることができる。
また、記憶装置３８には、組版データ用フォルダ１０、ワープロデータ用フォルダ１２、電子書籍データ用フォルダ１４、画像データ用フォルダ１６、マークアップ言語データ用フォルダ１８が構築されている。
【００３２】
本実施形態の組版データは、異なるデータ形式のものを用いることができる。図１では、例として３種類の組版ソフトＡ，Ｂ，Ｃが図示され、3種類の組版データの形式から電子書籍に変換可能であるところを図示している。
【００３３】
複数の組版ソフトＡ，Ｂ，Ｃから生成された組版データを第１の変換手段を用いて自動的に、汎用的なワープロソフトで読み書き可能なワープロデータに変換する。
なお、汎用的なワープロソフトの例としては、マイクロソフト社のＷＯＲＤなどが挙げられる。
【００３４】
第１の変換手段Ｐ１は、組版データをワープロデータに変換する変換プログラムである。この変換プログラムは、複数の組版データの種類に対応しており、異なる種類の組版データであっても、同一のワープロデータ形式に変換する。
【００３５】
第１の変換手段Ｐ１は、組版データをワープロデータに変換する際、組版データのテキストと共にインデント・文字サイズ・ルビなどのレイアウト情報もワープロデータに変換する。
また、第１の変換手段Ｐ１は、ワープロデータに直接取り込めない画像やワープロデータ上で表示できない外字については、所在位置と情報を文字列に変換してワープロデータに配置する。なお、画像はファイル名を文字列に変換してから画像が所在する位置に配置し、外字は文字コードを文字列に変換してから所在する位置に配置する。
さらに、組版データに罫表が存在する場合、第１の変換手段Ｐ１は、ワープロデータ上で罫表を再現することが可能であるが、大多数の電子書籍は罫表を画像で表示するため、罫表は画像または罫表内のテキストを特定の文字列で囲んで罫表の所在位置に配置する。
【００３６】
図３に、第1の変換手段の変換内容について示している。
第１の変換手段Ｐ１である変換プログラムは、作業者が指定する組版データ用フォルダ１０に記憶されている組版データを全て読み出し、変換処理によってワープロデータに変換した後、作業者が指定したワープロデータ用フォルダ１２に全てのワープロデータを記憶する。
なお、組版データ用フォルダ１０、及びワープロデータ用フォルダ１２は、作業者のコンピュータ３０内の記憶装置３８に構成されていることに限定されず、ネットワークを介して接続された、他の記憶装置にそれぞれが構成されていてもよい。
【００３７】
図４には、組版データからワープロデータに変換する情報を示している。
第１の変換手段Ｐ１は、組版データのテキストデータと共に書籍体裁を制御するためのレイアウト情報もワープロデータに変換している。
このレイアウト情報は、段落スタイル名・行揃え・改行・改ページ等の段落情報と、テキストスタイル名、文字サイズ・文字色・フォント・イタリック・下線・上付き文字・下付き文字・ルビ・傍点等のインライン情報で構成されている。
【００３８】
なお、段落情報およびインライン情報は、組版データ内でタグ又は組版制御用の特殊な文字を使って表現されており、第１の変換手段Ｐ１はこの情報（タグ又は組版制御用の特殊な文字）を解析してレイアウト情報をワープロデータのデータ形式に変換している。
【００３９】
また、図４は組版データをワープロデータへ変換するにあたり、ワープロデータ上で表現できない情報も図示している。
第１の変換手段Ｐ１は、これらのワープロデータ上で表現できない情報をワープロデータにそのまま変換することができないため、文字列に置き換えてワープロデータに配置する。文字列に置き換えることで、情報が欠落することを防ぎ、その後の整形作業や変換処理によって、適切な情報に置き換えられる。
【００４０】
ワープロデータ上で表現できず、文字列に置き換える情報は、画像・罫表・外字・合成文字・縦中横などが挙げられる。
第１の変換手段Ｐ１は、ワープロデータに取り込めない画像があった場合、画像のファイル名を取得し、図４に示す文字列に変換してワープロデータの所定の位置に配置する。
また、第１の変換手段Ｐ１は、罫表があった場合は、罫表内のテキストのみを抽出し、図４に示す所定の文字列で罫表内のテキストを囲んでからワープロデータの所定の位置に配置する。
さらに、第１の変換手段Ｐ１は、外字があった場合は、使用されている外字の文字コードを図４の例のような文字列に変換し、ワープロデータの所定の位置に配置する。
さらに、第１の変換手段Ｐ１は、合成文字・縦中横があった場合は、ワープロソフト上での表現が困難であるため、該当するテキストデータを図４で示す文字列で囲み、ワープロデータの所定の位置に配置する。
【００４１】
第１の変換手段Ｐ１は、電子書籍に不要となる柱やノンブルなどのテキストデータをワープロデータに変換しない。
これは、一般的な電子書籍が、柱として表示する文字列をテキストデータとして保持しないためであり、組版データ内のテキストデータを必要としないためである。また、電子書籍には頁の概念が存在しないため、同様にノンブルのテキストデータもワープロデータには変換しない。
【００４２】
図５に、組版データからワープロデータへの段落情報の変換例を示す。
一般的に組版データは、段落情報の定義部分とテキストデータの定義部分が分かれている。この例では、組版データの最初に段落情報が定義され、その後にテキストデータが定義されている。
段落情報は、それぞれ段落スタイル名と段落情報が設定されている。この例では、行頭の「ＤＭ」の後の番号「１」・「３０」がスタイル名に該当しており、番号以降に文字サイズ、フォント、段落インデントの段落情報が設定されている。
テキストデータでは、段落の先頭で段落スタイル名が呼び出されており、この呼び出しによって段落情報が各段落に適用される。この例では、「ＣＭ」の後の番号「３０」・「１」が呼び出されている段落スタイル名であり、それぞれの段落情報が適用されることで組版データのレイアウトがワープロソフト上でも再現される。
【００４３】
第１の変換手段Ｐ１は、初めに、組版データから段落情報の定義箇所を読み込み、段落情報毎に段落スタイル名と段落情報を記憶領域に記憶する。次にテキストデータを読み込むが、段落情報を呼び出している場合は、まず記憶領域に記憶している段落情報から対応する段落スタイル名を呼び出し、段落情報をワープロデータに変換した後、テキストデータをワープロデータに変換する。
【００４４】
図６に組版データからワープロデータへのインライン情報の変換例を示す。
インライン情報はテキストデータ内で定義されており、タグまたは組版制御用の特殊な文字によってインライン情報が設定されている。
この例では、組版制御用の特殊文字によってフォント・下線・文字サイズが設定されており、該当する文字列の開始位置と終了位置が特殊文字によって囲まれている。
第１の変換手段Ｐ１は、テキストデータをワープロデータに変換する際、このインライン情報も読み込み、ワープロデータ形式のインライン情報に変換し、組版データでのレイアウトをワープロデータで再現している。
【００４５】
次に、図１に戻り、全体の流れの続きを説明する。
第２の変換手段Ｐ２は、ワープロデータから外字を検出する機能を有している。
図７に示すように、外字検出は、作業者が指定するワープロデータ用フォルダ１２に記憶されているワープロデータ（第１の変換手段によって組版データから変換されたワープロデータ）を全て読み込み、第２の変換手段の外字検出を実行することで、ワープロデータ内の外字を検出する。
【００４６】
また、第２の変換手段Ｐ２は、外字検出機能以外に、文字エンコーディング変換できない文字の検出機能も有している。
電子書籍では、データ形式によって文字エンコーディングが異なっており、組版データで使用されているテキストデータの文字がそのまま利用できるとは限らない。このため、事前に文字エンコーディング変換できない文字を検出し、代替文字または画像に置き換える必要がある。
作業者は、外字検出の実行時に、変換する文字エンコーディングを指定すると、外字検出は指定された文字エンコーディングに変換できない文字をワープロデータ内から検出する。すなわち、第２の変換手段Ｐ２では、外字検出と同時に文字エンコーディング変換できない文字の検出を実行することができる。
【００４７】
図８に外字の検出例を示す。
この例では、ワープロデータの文字エンコーディングをＵＴＦ８からＪＩＳ Ｘ ０２０８に変換する場合の外字検出を示している。
第２の変換手段Ｐ２の外字検出機能は、ワープロデータ内の外字用文字列［GAI code="MA29B2"］を外字として検出し、機種依存文字である「丸付き数字１」「丸付き数字２」「〜」をＪＩＳ Ｘ ０２０８に変換できない文字として検出している。なお、外字検出の結果は、図８に示す例のような一覧形式で表示される。
【００４８】
また、図９に示すように、第２の変換手段Ｐ２は、ワープロデータ内の外字を置き換える機能（外字置換機能）も有する。
第２の変換手段Ｐ２の外字置換機能は、作業者があらかじめ作成した外字置換用ファイル１９と作業者が指定するワープロデータ用フォルダ１２に記憶されているワープロデータを読み込み、外字置換用ファイル１９で設定された置換対象文字をワープロデータ内から検索して置換文字に置き換える。
外字置換用ファイル１９は、作業者があらかじめ作成し、コンピュータ３０の記憶装置３８内の任意のフォルダに記憶させておく。
【００４９】
図１０に示す例では、ワープロデータ中の外字「［GAI code="MA29B2"］」とＪＩＳ Ｘ  ０２０８に文字エンコーディング変換できない文字「丸付き数字１」、「丸付き数字２」をそれぞれ代替文字に置き換えている。また、ＪＩＳ Ｘ ０２０８に文字エンコーディング変換できない文字「〜」は、該当する代替文字が無いため、作成した画像データに置き換える。
なお、外字を画像データに置き換える場合、図１０の例に定義した画像指定用の文字列を置換文字に設定する。また、画像ファイル名を保持することで、第３または第４の変換手段（後述する）を用いて、後の工程で設定したファイル名の画像に置き換えることができるようになる。
【００５０】
外字をどの代替文字、または画像に置き換えるかは、作成する電子書籍データによって異なるため、作業者がその必要に応じて外字置換用ファイル１９を手作業で作成する。
また、外字置換用ファイル１９を作成する際、置換対象となる外字は前述の外字検出機能によって一覧表示されるため、この検出結果に基づいて外字置換用ファイル１９を作成してもよい。
【００５１】
第２の変換手段Ｐ２は、別途作成した画像データを読み込み、ワープロデータに取り込む機能も有する。
図１１で示すように、画像取り込み機能は、作業者が指定する画像データ用フォルダ１４に記憶された画像データと、ワープロデータ用フォルダ１２に記憶されているワープロデータを読み込み、ワープロデータ中の画像指定用の文字列を検索し、文字列で設定されている画像ファイル名から対象となる画像データを抽出して、ワープロデータの画像用文字列の所在位置に抽出した画像データを埋め込む。
【００５２】
第２の変換手段Ｐ２による、外字検出、文字エンコーディング変換できない文字の検出、外字置換、画像データの取り込み等が完了した後、ワープロデータに対して作業者が手作業で整形を行う。
整形内容としては、字句の修正、段落・テキストのスタイル設定、レイアウト調整、画像の貼り付け、リンク設定などがある。
この整形作業は、それぞれ形式が異なる電子書籍データ上で整形を行うのではなく、一般的なワープロデータ上で整形を行うことで、電子書籍データに詳しくなくても作業が行え、効率よく整形作業が行える。
また、検索・文書比較・変更履歴・ハイパーリンクなどのワープロソフトの機能を利用することで、整形した内容を簡単に確認できることも、整形作業の特徴の1つとして挙げられる。
【００５３】
整形作業では、修正指示の原稿に基づき、ワープロデータに対して、作業者が手作業で字句の修正や空行や改頁等のレイアウト調整を行う。
字句修正やレイアウト調整は、ワープロソフトで作業を行うため、検索や文書比較、変更履歴などのワープロ機能を使って、整形内容の検出、確認を行う。
【００５４】
スタイル設定では、事前に作成したレイアウト定義に基づいて、段落またはテキストにスタイルを設定する。ここでのスタイルとは、行揃え・インデント・文字サイズ・文字色等のレイアウト情報の組み合わせを名前を付けて個別に登録したものであり、この登録したスタイルを段落またはテキストに適用することで、ワープロデータに均一なレイアウトを容易に設定することが可能になる。なお、スタイル機能の代表的なものとしては、ＷＯＲＤのスタイルシート機能が挙げられる。
【００５５】
リンクの設定では、ワープロソフトの機能を利用して、ワープロデータ上でのリンク設定を可能にする。具体的な作業としては、参照先の文字列に対してブックマークを設定し、参照元に文字列に設定したハイパーリンクで参照先のブックマークを選択することでリンクが設定される。
【００５６】
後述するように第３または第４の変換手段は、このワープロデータのブックマークとハイパーリンクの情報を解析・変換することで、電子書籍データまたはマークアップ言語データでのリンクを実現する。
【００５７】
画像の貼り付けでは、作業者が新たに追加する画像などをワープロデータに手作業で貼り付ける。また、書籍とは異なる位置に画像を配置する場合は、ワープロソフトのカット＆ペースト機能を使い、画像を任意の位置に移動する。
【００５８】
作業者の手作業による整形作業終了後、第３の変換手段Ｐ３によってワープロデータを電子書籍データに変換する。
図１２で示すように、第３の変換手段Ｐ３は、作業者によって指定されたワープロデータ用フォルダ１２に記憶されているワープロデータを読み込み、テキストデータ・段落情報・インライン情報等を電子書籍データの形式に変換し、作業者が指定する電子書籍データ用フォルダ１６に、変換した電子書籍データを記憶する。
【００５９】
第３の変換手段Ｐ２は、テキストデータと段落スタイル・行揃え・改行・改ページ等からなる段落情報とテキストスタイル・文字サイズ・フォント・イタリック・下線・上付き文字・下付き文字・ルビ・傍点・リンク等からなるインライン情報をワープロデータから読み込み、電子書籍データのデータ形式に応じて変換を実行する。
【００６０】
また、第３の変換手段Ｐ３は、ワープロデータに取り込んだ画像データを解析・抽出し、電子書籍データ用フォルダ１６内に配置された画像データ用フォルダ１７に、ワープロデータから抽出した画像データを記憶する。これにより、ワープロデータに取り込んだ画像データが電子書籍データからも閲覧できる。なお、第３の変換手段Ｐ３を用いた変換工程の実行時に用いる画像データ用フォルダ１７は、電子書籍データ用フォルダ１６内に配置されたものであり、上述した第２の変換手段Ｐ２の変換工程で用いた画像データ用フォルダ１６とは異なるフォルダである。
【００６１】
第３の変換手段Ｐ３は、作業者が変換する電子書籍のデータ形式を選択することで、ワープロデータから複数種類の電子書籍データを作成する。作成される電子書籍データの例としては、ＸＭＤF、ＥＰＵＢ、ドットブックなどが挙げられる。
【００６２】
次に、マークアップ言語データの作成方法について説明する。
マークアップ言語データの作成については、組版データから、第２の変換手段Ｐ２を用いた変換後に作業者が手作業で整形するまでは、電子書籍データ作成方法と共通である。したがって、組版データから、第２の変換手段Ｐ２を用いた変換後に作業者が手作業で整形するまでは、説明を省略する。
【００６３】
作業者の手作業による整形作業終了後、第４の変換手段Ｐ４によってワープロデータをマークアップ言語データに変換する。ここでいうマークアップ言語データとは、電子書籍以外のＨＴＭＬやＸＭＬなどのデータのことを指している。
図１３で示すように、第４の変換手段Ｐ４は、作業者によって指定されたワープロデータ用フォルダ１２に記憶されているワープロデータを読み込み、テキストデータ・段落情報・インライン情報等をマークアップ言語データの形式に変換し、作業者が指定するマークアップ言語データ用フォルダ１８に、変換したマークアップデータを記憶する。
この第４の変換手段Ｐ４を用いることで、電子書籍以外のマルチメディアデータの提供にも対応することが可能である。
【００６４】
第４の変換手段Ｐ４は、テキストデータと段落スタイル・行揃え・改行・改ページ等からなる段落情報とテキストスタイル・文字サイズ・フォント・イタリック・下線・上付き文字・下付き文字・ルビ・傍点・リンク等からなるインライン情報をワープロデータから読み込み、マークアップ言語データの形式に変換する。
【００６５】
また、第４の変換手段Ｐ４は、ワープロデータに取り込んだ画像データをプログラムによって取り出し、マークアップ言語データ用フォルダ１８内に配置された画像データ用フォルダ１３に取り出した画像データを記憶する。これにより、ワープロデータに取り込んだ画像データをマークアップ言語データからも閲覧できる。なお、第４の変換手段Ｐ４を用いた変換工程の実行時に用いる画像データ用フォルダ１３は、マークアップ言語データ用フォルダ１８内に配置されたものであり、上述した第２の変換手段Ｐ２の変換工程で用いた画像データ用フォルダ１６とは異なるフォルダである。
【００６６】
また、第４の変換手段Ｐ４は、電子書籍用に作成したワープロデータをＨＴＭLに変換することが可能であり、ワープロデータを電子書籍データに変換せずともＷＥＢブラウザを使って内容を確認できることも特徴の１つとして挙げられる。
【００６７】
また、第４の変換手段Ｐ４は、特定のデータ形式に捉われずにマークアップ言語データに変換するようにしてもよい。
例えば、経済産業省「コンテンツ緊急電子化事業」等にて、データ形式の差を吸収するために汎用的なフォーマットが策定されたならば、そのデータ形式に変換することで、編集の容易さと、データ形式の統一が両立する。
【符号の説明】
【００６８】
１０   組版データ用フォルダ
１２   ワープロデータ用フォルダ
１３，１６，１７   画像データ用フォルダ
１４   電子書籍データ用フォルダ
１８   マークアップ言語データ用フォルダ
１９   外字置換用ファイル
３０   コンピュータ
３２   制御部
３４   入力手段
３６   モニタ
３８   記憶手段
３８   ハードディスク
Ａ，Ｂ，Ｃ   組版ソフト
Ｐ１   第１の変換手段
Ｐ２   第２の変換手段
Ｐ３   第３の変換手段
Ｐ４   第４の変換手段
【図２】
2014164670.tif 000003
【図１】
2014164670.tif 000004
【図３】
2014164670.tif 000005
【図４】
2014164670.tif 000006
【図５】
2014164670.tif 000007
【図６】
2014164670.tif 000008
【図７】
2014164670.tif 000009
【図８】
2014164670.tif 000010
【図９】
2014164670.tif 000011
【図１０】
2014164670.tif 000012
【図１１】
2014164670.tif 000013
【図１２】
2014164670.tif 000014
【図１３】
2014164670.tif 000015